(57)【特許請求の範囲】
【請求項１】
ハンズフリープロファイルを携帯電話機との間で接続可能であると共にハンズフリープロファイル以外のプロファイルをも前記携帯電話機との間で接続可能な近距離無線通信手段と、
自装置を停止させる停止トリガの発生を検出する停止トリガ検出手段と、
停止トリガの発生が前記停止トリガ検出手段により検出された時点で前記近距離無線通信手段がハンズフリープロファイル以外のプロファイルを前記携帯電話機との間で接続している場合に、そのプロファイルを強制的に切断させる制御手段とを備えたことを特徴とする車載ハンズフリー装置。
【請求項２】
ハンズフリープロファイルを実行可能であると共にハンズフリープロファイル以外のプロファイルをも実行可能な携帯電話機と、前記携帯電話機と近距離無線通信可能な車載ハンズフリー装置とを備えてなる車載ハンズフリーシステムであって、
前記車載ハンズフリー装置は、
ハンズフリープロファイルを前記携帯電話機との間で接続可能であると共にハンズフリープロファイル以外のプロファイルをも前記携帯電話機との間で接続可能な近距離無線通信手段と、
自装置を停止させる停止トリガの発生を検出する停止トリガ検出手段と、
停止トリガの発生が前記停止トリガ検出手段により検出された時点で前記近距離無線通信手段がハンズフリープロファイル以外のプロファイルを前記携帯電話機との間で接続している場合に、そのプロファイルを強制的に切断させる制御手段とを備えて構成されていることを特徴とする車載ハンズフリーシステム。
【発明の詳細な説明】
【技術分野】
【０００１】
本発明は、ハンズフリープロファイルを携帯電話機との間で接続可能であると共にハンズフリープロファイル以外のプロファイルをも携帯電話機との間で接続可能に構成されている車載ハンズフリー装置及び前記車載ハンズフリー装置と携帯電話機とを備えてなる車載ハンズフリーシステムに関する。
【背景技術】
【０００２】
Ｂｌｕｅｔｏｏｔｈ（登録商標）通信機能を有する車載ハンズフリー装置では、起動トリガとしての例えばＡＣＣスイッチがオンして起動すると、その時点でＢｌｕｅｔｏｏｔｈ通信機能を有するＢｌｕｅｔｏｏｔｈ携帯電話機との間でＢｌｕｅｔｏｏｔｈ通信可能な状態であれば、ハンズフリープロファイル（ＨＦＰ）をＢｌｕｅｔｏｏｔｈ携帯電話機との間で接続してハンズフリー通話を自動的に可能とする構成が一般的である（例えば特許文献１参照）。
【特許文献１】特開２００５−１１００４９号公報
【発明の開示】
【発明が解決しようとする課題】
【０００３】
しかしながら、停止トリガとしての例えばＡＣＣスイッチがオフして停止したときにハンズフリープロファイル以外のプロファイル（例えばダイヤルアップネットワークプロファイル（ＤＵＮＰ））をＢｌｕｅｔｏｏｔｈ携帯電話機との間で接続していると、その直後にＡＣＣスイッチがオンして起動すると、Ｂｌｕｅｔｏｏｔｈ携帯電話機が通常の待受状態（いずれかのプロファイルを接続する待受状態）を行うのではなく、Ｂｌｕｅｔｏｏｔｈ携帯電話機が当該プロファイルの手順を待受ける待受状態を継続して行うことになるので、ハンズフリープロファイルをＢｌｕｅｔｏｏｔｈ携帯電話機との間で接続するまでに時間がかかり、ハンズフリー通話を速やかに行うことができないという問題がある。
【０００４】
本発明は、上記した事情に鑑みてなされたものであり、その目的は、装置が起動した直後にハンズフリー通話を速やかに行うことができ、使い勝手を高めることができる車載ハンズフリー装置及び車載ハンズフリーシステムを提供することにある。
【課題を解決するための手段】
【０００５】
請求項１に記載した車載ハンズフリー装置によれば、制御手段は、停止トリガの発生が停止トリガ検出手段により検出された時点で近距離無線通信手段がハンズフリープロファイル以外のプロファイルを携帯電話機との間で接続していると、そのプロファイルを強制的に切断させる。これにより、停止トリガが発生したときにハンズフリープロファイル以外のプロファイルを携帯電話機との間で接続していたとしても、そのプロファイルを強制的に切断することにより、次回に装置が起動した直後では、携帯電話機がハンズフリープロファイル以外のプロファイルの手順を待受ける待受状態を継続して行うことはなく、携帯電話機が通常の待受状態（いずれかのプロファイルを接続する待受状態）を行うことになる。よって、装置が起動した直後にハンズフリープロファイルをＢｌｕｅｔｏｏｔｈ携帯電話機との間で速やかに接続することにより、装置が起動した直後にハンズフリー通話を速やかに行うことができ、使い勝手を高めることができる。
【発明を実施するための最良の形態】
【０００６】
以下、本発明の一実施形態について、図面を参照して説明する。図１は、車載ハンズフリーシステムの構成を機能ブロック図として示している。車載ハンズフリーシステム１は、Ｂｌｕｅｔｏｏｔｈ通信（本発明でいう近距離無線通信）機能を有するＢｌｕｅｔｏｏｔｈ携帯電話機（本発明でいう携帯電話機）２とＢｌｕｅｔｏｏｔｈ通信機能を有する車載ハンズフリー装置３とがＢｌｕｅｔｏｏｔｈ通信可能に構成されている。Ｂｌｕｅｔｏｏｔｈ携帯電話機２は、他の携帯電話機や固定電話機との間で携帯電話網を介して携帯電話通信を行うことが可能であると共に、Ｂｌｕｅｔｏｏｔｈ通信可能な状態であれば（電源がオンしており且つ通信圏内であれば）、車載ハンズフリー装置３との間でＢｌｕｅｔｏｏｔｈ通信を行うことが可能に構成されている。
【０００７】
車載ハンズフリー装置３は、制御部４（本発明でいう停止トリガ検出手段、制御手段）、電源制御部５、表示部６及びＢｌｕｅｔｏｏｔｈユニット７（本発明でいう近距離無線通信手段）を備えて構成されている。制御部４は、ＣＰＵ、ＲＡＭ及びＲＯＭなどを備え、制御プログラムを実行することで車載ハンズフリー装置３の動作全般を制御する。
【０００８】
電源制御部５は、ＡＣＣスイッチから当該ＡＣＣスイッチがオンしたことに応じてＡＣＣオン信号が入力されると共に当該ＡＣＣスイッチがオフしたことに応じてＡＣＣオフ信号が入力されるように構成されており、ＡＣＣオン信号が入力されると、制御部４への動作電源の供給を許可することで装置全体を起動させ、一方、ＡＣＣオフ信号が入力されると、制御部４への動作電源の供給を禁止することで装置全体を停止させるように構成されている。尚、電源制御部５は、車載ハンズフリー装置３が電源オフの状態であっても、低消費電力動作でＡＣＣオン信号の入力を監視するように構成されている。
【０００９】
表示部６は、制御部４から表示指令信号が入力されると、その入力された表示指令信号に応じた表示動作を行う。Ｂｌｕｅｔｏｏｔｈユニット７は、制御部４から動作指令信号が入力されると、その入力された動作指令信号に応じたＢｌｕｅｔｏｏｔｈ通信動作を行う。この場合、Ｂｌｕｅｔｏｏｔｈユニット７は、制御部４がハンズフリー通信処理を行うのに必要なハンズフリープロファイル（ＨＦＰ）をＢｌｕｅｔｏｏｔｈ携帯電話機２との間で接続可能であると共に、ハンズフリープロファイル以外のプロファイルとして例えば制御部４がデータ通信処理を行うのに必要なダイヤルアップネットワークプロファイル（ＤＵＮＰ）をもＢｌｕｅｔｏｏｔｈ携帯電話機２との間で接続可能に構成されている。
【００１０】
制御部４は、Ｂｌｕｅｔｏｏｔｈユニット７がＢｌｕｅｔｏｏｔｈ携帯電話機２との間でハンズフリープロファイルを接続している場合には、マイクロホン８から入力された送話音声をＢｌｕｅｔｏｏｔｈユニット７からＢｌｕｅｔｏｏｔｈ携帯電話機２へ送信させると共に、Ｂｌｕｅｔｏｏｔｈ携帯電話機２からＢｌｕｅｔｏｏｔｈユニット７に送信された受話音声をスピーカ９から出力させる。また、制御部４は、操作部１０からユーザの操作内容を表す操作信号が入力されると、その入力された操作信号に応じた動作を行う。尚、上記した車載ハンズフリー装置３の機能が車載ナビゲーション装置（図示せず）に組み込まれていることで、車載ナビゲーション装置とＢｌｕｅｔｏｏｔｈ携帯電話機とがＢｌｕｅｔｏｏｔｈ通信可能に構成されていても良い。
【００１１】
次に、上記した構成の作用について、図２を参照して説明する。
車載ハンズフリー装置３において、制御部４は、ＡＣＣスイッチからＡＣＣオフ信号が電源制御部５に入力され、ＡＣＣスイッチがオフした旨を検出すると（本発明でいう停止トリガが発生すると）、Ｂｌｕｅｔｏｏｔｈユニット７がＢｌｕｅｔｏｏｔｈ携帯電話機２との間でいずれかのプロファイルを接続しているか否かを判定する（ステップＳ１）。そして、制御部４は、Ｂｌｕｅｔｏｏｔｈユニット７がＢｌｕｅｔｏｏｔｈ携帯電話機２との間でいずれかのプロファイルを接続している旨を検出すると（ステップＳ１にて「ＹＥＳ」）、その接続しているプロファイルがハンズフリープロファイルであるか否かを判定する（ステップＳ２）。
【００１２】
ここで、制御部４は、その接続しているプロファイルがハンズフリープロファイルでない旨、つまり、その接続しているプロファイルがハンズフリープロファイル以外のプロファイルである旨を検出すると（ステップＳ２にて「ＮＯ」）、その接続しているプロファイルを切断するプロファイル切断処理を実行し（ステップＳ３）、その接続しているプロファイルを強制的に切断させ、一連の処理を終了する。
【００１３】
一方、制御部４は、Ｂｌｕｅｔｏｏｔｈユニット７がＢｌｕｅｔｏｏｔｈ携帯電話機２との間でいずれかのプロファイルを接続していない旨を検出すると（ステップＳ１にて「ＮＯ」）、一連の処理を速やかに終了し、また、Ｂｌｕｅｔｏｏｔｈユニット７がＢｌｕｅｔｏｏｔｈ携帯電話機２との間でハンズフリープロファイルを接続している旨を検出すると（ステップＳ２にて「ＹＥＳ」）、その接続しているハンズフリープロファイルを強制的に切断させることなく、一連の処理を速やかに終了する。
【００１４】
以上に説明したように本実施形態によれば、車載ハンズフリー装置３において、ＡＣＣスイッチからＡＣＣオフ信号が入力された時点でＢｌｕｅｔｏｏｔｈユニット７がハンズフリープロファイル以外のプロファイルをＢｌｕｅｔｏｏｔｈ携帯電話機２との間で接続していると、そのプロファイルを強制的に切断するように構成したので、次回に装置が起動した直後では、Ｂｌｕｅｔｏｏｔｈ携帯電話機２がハンズフリープロファイル以外のプロファイルの手順を待受ける待受状態を継続して行うことはなく、Ｂｌｕｅｔｏｏｔｈ携帯電話機２が通常の待受状態（いずれかのプロファイルを接続する待受状態）を行うことになり、装置が起動した直後にハンズフリー通話を速やかに行うことができ、使い勝手を高めることができる。
【００１５】
本発明は、上記した実施形態にのみ限定されるものではなく、以下のように変形または拡張することができる。
停止トリガは、ＡＣＣスイッチからＡＣＣオフ信号が電源制御部に入力されることに限らず、例えば車載ハンズフリー装置に停止ボタンが設けられていれば、その停止ボタンが操作されることであっても良い。
ハンズフリープロファイル以外のプロファイルとしてオブジェクトプッシュプロファイル（ＯＰＰ）やベーシックイメージプロファイル（ＢＩＰ）を接続している場合に適用する構成であっても良い
【図面の簡単な説明】
【００１６】
【図１】本発明の一実施形態を示す機能ブロック図
【図２】フローチャート
【符号の説明】
【００１７】
図面中、１は車載ハンズフリーシステム、２はＢｌｕｅｔｏｏｔｈ携帯電話機（携帯電話機）、３は車載ハンズフリー装置、４は制御部（停止トリガ検出手段、制御手段）、７はＢｌｕｅｔｏｏｔｈユニット（近距離無線通信手段）である。
【図１】
0004424303.tif 000002
【図２】
0004424303.tif 000003